(57)【要約】　　　（修正有）【課題】ノック式筆記具において、クリップの先端付近にかかるカム構造を設ける必要がなく、従って、クリップの造形の自由度を増加して、クリップの揺動動作を行いやすいものとする。【解決手段】弾性体により後方に付勢され、外筒１２内で軸線方向に移動可能に挿入収納されたレフィール２０と、外筒より外方に露出するノック体２４と、外筒１２に対してその基部が固定的に連結されたクリップ２８と、ノック体２４の操作によって筆記媒体の先端が外筒の先端より出没する２位置を遷移させるためのカム機構と、を備え、前記カム機構はノック体２４の軸方向の直線運動を係止部１４ａ及び係止受部のいずれか一方の回転運動に変換する案内カムを有しており、該係止部１４ａ、係止受部及びカムはクリップ２８の反基端部とは異なる場所である外筒１２内に配設されると共に、前記クリップ２８の揺動運動により、前記前進位置にあるレフィール２０が退没する。【選択図】　図１
2004130685.tif 000002
【特許請求の範囲】
【請求項１】
外筒と、外筒内で軸線方向に移動可能に挿入収納された筆記媒体と、筆記媒体を後方に付勢する弾性体と、ノック操作されるために外筒より外方に露出するノック体と、外筒に対してその基部が固定的に連結され外筒に沿って延びるクリップと、ノック体の操作によって、筆記媒体が外筒内へ退没した退没位置と筆記媒体の先端が外筒の先端より突出した前進位置との間を遷移させるためのカム機構と、を備えるノック式筆記具において、
前記カム機構は、筆記媒体を前進位置へと維持させるために互いに係止可能となった係止部及び係止受部とを有し、ノック体の操作によって前記退没位置と前記前進位置とを交互に切替えるべく、ノック体の軸方向の直線運動を係止部及び係止受部のいずれか一方の回転運動に変換して係止部及び係止受部のいずれか一方を案内する案内カムをさらに有しており、該係止部、係止受部及び案内カムはクリップの反基端部とは異なる場所である外筒内に配設されると共に、前記クリップの揺動運動により、前記前進位置にある筆記媒体が退没することを特徴とするノック式筆記具。
【請求項２】
前記クリップの揺動運動により、外筒内に配設された前記係止部と係止受部との係止が解除されることを特徴とする請求項１記載のノック式筆記具。
【請求項３】
前記クリップの基部が外筒内に延びて、その基部の揺動運動により前記係止部及び被係止部との係止が解除されることを特徴とする請求項２記載のノック式筆記具。
【請求項４】
前記クリップの基部に、係止部及び被係止部のいずれか一方が形成されることを特徴とする請求項３記載のノック式筆記具。
【請求項５】
前記クリップの揺動運動により、前記カム機構が退没することを特徴とする請求項１記載のノック式筆記具。
【請求項６】
前記クリップの反基端部の裏面には、カム機構を係止するカム機構係止受部が形成されており、カム機構には、外筒に形成された縦溝を通り、前記カム機構係止受部と係止可能な係止突起が設けられることを特徴とする請求項５記載のノック式筆記具。
【発明の詳細な説明】
【０００１】
【発明の属する技術分野】
本発明は、ボールペン、シャープペンシル、マーカー等の筆記媒体をノックによって、該筆記媒体の先端が外筒の先端より突出した前進位置にすることができるノック式筆記具に関する。
【０００２】
【従来の技術】
従来、この種のノック式筆記具は、外筒と、外筒内で軸線方向に移動可能に挿入収納された筆記媒体と、筆記媒体を後方に付勢する弾性体と、ノック操作されるために外筒より外方に露出するノック体と、外筒に対してその基部が固定的に連結され外筒に沿って延びるクリップと、ノック体の操作によって、筆記媒体が外筒内へ退没した退没位置と筆記媒体の先端が外筒の先端より突出した前進位置との間を遷移させるためのカム機構と、を備えるものが公知となっている。
【０００３】
このようなノック式筆記具においては、筆記媒体を退没させるのを忘れて、衣服のポケットの縁にクリップを差し込んでポケット内にその筆記具を収納すると、筆記媒体によってポケット内を汚したり、ポケットに孔を空けたりするという問題がある。このために、クリップを揺動させたときに、筆記媒体を退没させることができるノック式筆記具が提案されている（例えば、特許文献１参照。）。この特許文献１に記載の構成は、外筒内に筆記媒体の位置決めを行う係合体が設けられ、該係合体に係止突起が形成されると共に、外筒に基端が固定されたクリップの反基端部の裏面に、前端側に係止受部を備えた係止受け突部が形成されており、係止受け突部に対応して外筒には案内孔が形成されて、案内孔は係止受け突部に対して横方向片側のみが係止受け突部よりも幅広くなっており、この案内孔を通って係止突起が係止受部に係合することにより筆記媒体が前進位置に保持される一方、係止突起が係止受部に非係合となり係止受け突部よりも後方に位置することにより筆記媒体が退没位置に保持され、外筒内にはノック体と一体のまたはノック体と共に移動するノックバーが設けられ、該ノックバーには係合体と係合可能なカム部が形成されており、該カム部が、前記係止突起を、係止受け突部よりも後方から係止受け突部を越して係止受部まで誘導すると共に、前記係止突起を、係止受部から係止受け突部を回避させ横方向片側を通り係止受け突部よりも後方まで誘導する、構成となっている。
【０００４】
【特許文献１】
特開２０００−１０３１９３号公報（特許請求の範囲）
【０００５】
【発明が解決しようとする課題】
しかしながら、かかる特許文献１に記載のものでは、クリップの反基端部の裏面に係止受け突部が形成されており、外筒内に設けられた係合体に形成された係止突起が外筒に形成された案内孔を通って、係止受け突部に係止され、または、係止受け突部からの係止が解除される構成となっている。即ち、クリップの反基端部に係止突起を案内するための案内カムの少なくとも一部が形成されているために、クリップに造形の自由度が低く、よって、クリップを揺動動作に適した形状に構成することが困難であるという問題がある。そのため、クリップに衣服や書類を挟もうとする際に、クリップを持ち上げ難く、挟み難いという問題がある。
【０００６】
本発明はかかる課題に鑑みなされたもので、その目的は、クリップの先端付近にかかる案内カム構造を設ける必要がなく、従って、クリップの造形の自由度を増加して、クリップの揺動動作を行いやすいノック式筆記具を提供することである。
【０００７】
【課題を解決するための手段】
上記目的を達成するために、本発明は、外筒と、外筒内で軸線方向に移動可能に挿入収納された筆記媒体と、筆記媒体を後方に付勢する弾性体と、ノック操作されるために外筒より外方に露出するノック体と、外筒に対してその基部が固定的に連結され外筒に沿って延びるクリップと、ノック体の操作によって、筆記媒体が外筒内へ退没した退没位置と筆記媒体の先端が外筒の先端より突出した前進位置との間を遷移させるためのカム機構と、を備えるノック式筆記具において、
前記カム機構は、筆記媒体を前進位置へと維持させるために互いに係止可能となった係止部及び係止受部とを有し、ノック体の操作によって前記退没位置と前記前進位置とを交互に切替えるべく、ノック体の軸方向の直線運動を係止部及び係止受部のいずれか一方の回転運動に変換して係止部及び係止受部のいずれか一方を案内する案内カムをさらに有しており、該係止部、係止受部及び案内カムはクリップの反基端部とは異なる場所である外筒内に配設されると共に、前記クリップの揺動運動により、前記前進位置にある筆記媒体が退没することを特徴とする。
【０００８】
係止部が係止受部に係止することにより、筆記軸体が前進位置になり、係止部と係止受部との係止が解除されると、筆記軸体は弾性体によって後方に付勢されているために、筆記軸体は退没位置へと戻る。このときに、カム機構の案内カムがノック体の軸方向の直線運動を適宜、係止部及び係止受部のいずれか一方の回転運動に変換してこの係止部及び係止受部のいずれか一方を案内しており、これにより、ノック体の操作によって、筆記媒体の前進位置と退没位置とが交互に実現される。これらの係止部、係止受部及び案内カムはクリップの反基端部とは異なる場所である外筒内に配設されるために、クリップの反基端部は、これらの係止部、係止受部及びカムの影響を受けずに自由に設計することができ、造形の自由度を増加させることができる。そのために、クリップの反基端部及びクリップの本体は、クリップの揺動動作の行いやすい形状とすることができる。その一方で、クリップが揺動運動されたときには、筆記媒体が退没するために、筆記媒体が前進位置にあるにも拘わらず、衣服のポケットの縁にクリップを差し込もうとしても、ポケットを汚したり損傷させることはない。
【０００９】
請求項２記載の発明は、請求項１記載のものにおいて、前記クリップの揺動運動により、外筒内に配設された前記係止部と係止受部との係止が解除されることを特徴とする。クリップの反基端部に係止部及び係止受部のいずれも設けられない代わりに、クリップを揺動させるときに、係止部と係止受部との係止が解除されて、筆記媒体が退没位置へと戻る。よって、筆記媒体が前進位置にあるにも拘わらず、衣服のポケットの縁にクリップを差し込もうとしてクリップを揺動させたときには、筆記媒体が退没し、ポケットを汚したり損傷させることはない。
【００１０】
請求項３記載の発明は、請求項２記載のものにおいて、前記クリップの基部が外筒内に延びて、その基部の揺動運動により前記係止部及び被係止部との係止が解除されることを特徴とする。クリップを揺動させたときに、クリップの基部も揺動運動を行うために、その基部の揺動運動を利用して外筒内に配設された係止部及び被係止部の係止を解除することができる。
【００１１】
請求項４記載の発明は、請求項３記載のものにおいて、前記クリップの基部に、係止部及び被係止部のいずれか一方が形成されることを特徴とする。クリップを揺動させたときに、クリップの基部も揺動運動を行うために、その基部の揺動運動を利用して、基部に形成された係止部または被係止部の一方を移動させて、両者の係合を解除することができる。
【００１２】
請求項５記載の発明は、請求項１記載のものにおいて、前記クリップの揺動運動により、前記カム機構が退没することを特徴とする。クリップの揺動運動によりカム機構が退没するために、筆記媒体が退没する。よって、筆記媒体が前進位置にあるにも拘わらず、衣服のポケットの縁にクリップを差し込もうとしてクリップを揺動させたときには、筆記媒体が退没し、ポケットを汚したり損傷させることはない。
【００１３】
請求項６記載の発明は、請求項５記載のものにおいて、前記クリップの反基端部の裏面には、カム機構を係止するカム機構係止受部が形成されており、カム機構には、外筒に形成された縦溝を通り、前記カム機構係止受部と係止可能な係止突起が設けられることを特徴とする。クリップの反基端部に形成されたカム機構係止受部をカム機構の係止突起に係止させた状態で、ノック体をノックすることにより、カム機構の動作により、筆記媒体が前進位置と退没位置との間を交互に遷移することができる。衣服のポケットの縁にクリップを差し込もうとしてクリップを揺動させると、クリップの揺動運動によりカム機構係止受部とカム機構の係止突起との係止が解除されるために、カム機構が退没して、筆記媒体が退没することができる。
【００１４】
【発明の実施の形態】
以下、図面を用いて本発明の実施の形態を説明する。
【００１５】
（第１実施形態）
図１は、本発明に係るノック式筆記具の第１実施形態を表す縦断面図である。図示のものは、筆記具としてボールペンに適用した例であり、筆記媒体はインキを収容したレフィールとなっている。
【００１６】
このノック式筆記具１０は、後筒１４、後筒１４の先端に螺着される先筒１６及び先筒１６の先端に螺着される先具１８とからなる外筒１２を備えており、外筒１２内には、筆記媒体としてのレフィール２０が軸線方向に移動可能に挿入収納されている。先具１８の内部に形成された段部１８ａとレフィール２０に形成されたバネ受け２０ａとの間に弾性体であるバネ２２が介挿されており、バネ２２はレフィール２０を常時、後方へ付勢している。
【００１７】
レフィール２０の後端は係合体２６内に挿入されており、レフィール２０は係合体２６と共に外筒１２内を移動するようになっている。係合体２６の周面には、後筒１４の内周面に形成された係止突起１４ａがその中を移動可能に収容されるカム溝２６ａが形成される。カム溝２６ａは、その中に係止受け突部２６ｂが形成されており、その係止受け突部２６ｂの前部は、前方に向かうに連れて漸次高さが低くなるよう傾斜した傾斜面となっている（図１参照）。反対に係止突起１４ａの後部は、後方に向かうに連れて漸次高さが低くなるように傾斜した傾斜面となっている。
【００１８】
また、図２に示すように、係合体２６の係止受け突部２６ｂの後端側には、前方へ向かって凹んだ係止受部２６ｃが形成される。さらに、カム溝２６ａには、係止受け突部２６ｂの横を通る退却路２６ｄが形成され、また、カム溝２６ａの前端面には、軸線方向に傾斜して、退却路２６ｄから斜め前方に向かうカム面２６ｅが形成されている。
【００１９】
係合体２６の周面には、さらにカム溝２６ａよりも後方に一対のカム受部２６ｆ、２６ｆが形成されている。カム受部２６ｆは、それぞれ軸方向に傾斜しその傾斜の向きが反対となった第１カム面２６ｆ１及び第２カム面２６ｆ２と、これらの第１カム面２６ｆ１と第２カム面２６ｆ２の交差点に形成された凹部２６ｆ３とを有している。
【００２０】
係合体２６の後端部は、ノック体２４の中に摺動可能に挿入される。ノック体２４は、その後端が外筒１２よりも突出して外方に露出しており、ノック操作を行うためのものとなっている。ノック体２４の前端外周面には、一対の規制カム２４ａが形成されており、この規制カム２４ａは、係合体２６のカム受部２６ｆと係り合うようになっている。ノック体２４は、外筒１２に対して相対回転不能となっている。規制カム２４ａは、図３に示したように、軸方向に傾斜しその傾斜の向きが反対となった第１カム面２４ｂと第２カム面２４ｃとを有している。この規制カム２４ａは、ノック体２４のノック操作力をこの規制カム２４ａからカム受部２６ｆを介して係合体２６に伝達すると共に、カム受部２６ｆと協働して、そのノック操作の軸方向の直線運動を係合体２６の回転運動に変換するべく援助するためのものである。これらのカム受部２６ｆ、規制カム２４ａ、カム溝２６ａ及び係止突起１４ａとでカム機構が構成され、カム受部２６ｆ、規制カム２４ａ及びカム溝２６ａが、係止突起１４ａを係止受部２６ｃに係止及び係止解除されるよう案内する案内カムとなる。
【００２１】
ノック体２４と係合体２６との間には、両者を軸方向に離間する方向に付勢するバネ２７が介挿されている。
【００２２】
後筒１４の後端には、クリップ２８の基端が固定される。図４及び図８に示したように、クリップ２８の基端には、一対の嵌合片２８ａ、２８ａが形成されており、この嵌合片２８ａ、２８ａが後筒１４の後端に形成された嵌合孔１４ｂ、１４ｂに嵌合して、固定される。尚、嵌合孔１４ｂ、１４ｂは、嵌合片２８ａ、２８ａが先端の嵌合部分を中心として回動することができるように、一部嵌合片２８ａ、２８ａよりも大きくなっている（図８参照）。また、クリップ２８の基端には、後筒１４の内部を延びるカム押し上げプレート部２８ｂが形成されている。カム押し上げプレート部２８ｂは、後筒１４内を延びて、その先端が、前記後筒１４の係止突起１４ａ及び前記係合体２６のカム溝２６ａの近傍へと達している。また、クリップ２８の本体２８ｃは、基端から外筒１２の外側を外筒１２とほぼ平行に延びている。カム押し上げプレート部２８ｂと本体２８ｃとは、クリップ２８の基端で周方向で対向する位置から、それぞれ延びている。
【００２３】
また、後筒１４の後端にはカバー３０が連結されており、カバー３０は、クリップ２８の嵌合片２８ａ、２８ａ及び外筒１４の嵌合孔１４ｂ、１４ｂを覆って隠すと共に、ノック体２４の後方へと移動を規制している。
【００２４】
以上のように構成されるノック式筆記具の作用を図５を参照しながら以下に説明する。
【００２５】
非使用時、レフィール２０はバネ２２によって後方へ付勢されて、外筒１２内に完全に収納された退没位置にある（図５（ａ））。このとき、係合体２６のカム溝２６ａ内において、前記後筒１４の係止突起１４ａは、カム溝２６ａのカム面２６ｅの最も前端位置にあり、係合体２６及びレフィール２０がこれ以上後方へ退没するのを阻止している。また、この位置で、ノック体２４の規制カム２４ａは、係合体２６のカム受部２６ｆの凹部２６ｆ３に係合している。
【００２６】
次に、レフィール２０を使用するため、使用者がノック体２４を前方に向けてノックすると、ノック体２４の規制カム２４ａが係合体２６のカム受部２６ｆの凹部２６ｆ３に係合しているため、カム受部２６ｆを前方へと押し出して、係合体２６が前進する。すると、係合体２６のカム溝２６ａが前進して、その係止受け突部２６ｂの傾斜面と係止突起１４ａの傾斜面とが摺接し、係止突起１４ａは、係止受け突部２６ｂを乗り越えて通過することができる（図５（ｂ））。係止突起１４ａは係止受け突部２６ｂを通過した後、カム溝２６ａの後端まで到達する。
【００２７】
次いで、使用者がノック体２４への力の付加を緩めると、バネ２２によりレフィール２０及び係合体２６が後方へ移動する。カム溝２６ａは、ノック体２４の規制カム２４ａが凹部２６ｆ３に係合したままで、横方向にそれることなく、軸線方向にまっすぐに退没した後、ノック体２４の規制カム２４ａと凹部２６ｆ３との係合が外れ、係止突起１４ａが、係止受け突部２６ｂの前端面に当接してこれを摺接し、係止受部２６ｃへと到達して、係止受部２６ｃに係合する（図５（ｃ））。これにより、レフィール２０はその退没移動が禁止され、レフィール２０の先端が外筒１２の先端より突出した前進位置に保持されるので、使用に供されることになる（図６）。ノック体２４はバネ２７の付勢力によって後方位置に戻る。
【００２８】
使用が終了し、再び使用者がノック体２４をノックすると、ノック体２４の規制カム２４ａの第１カム面２４ｂが係合体２６のカム受部２６ｆの第１カム面２６ｆ１に当接して、係合体２６を回転させながら前方へ押し出す。これにより、係止突起１４ａは、係止受部２６ｃから離脱する。係合体２６は、ノック体２４の第１カム面２４ｂを摺接して回転するので、係止突起１４ａが係止受け突部２６ｂの在る側と横方向反対側へと相対的に移動する（図５（ｄ））。そして、使用者がノック体２４への力の付加を止めると、係止突起１４ａは、相対的に係止受け突部２６ｂの傍らの退却路２６ｄを通過して、その最前端の位置に戻る。これによりレフィール２０は退没位置に戻り外筒１２内に収納される（図５（ｅ））。
【００２９】
こうして、レフィール２０を退没位置に戻すときも、ノック体２４のノックで行うことができ、即ち、前進位置と退没位置との切換をノック体２４のノックだけで行うことができる。また、ノック体２４に力を加える前進時には、後筒１４の係止突起１４ａが係合体２６の係止受け突部２６ｂの上を相対的に通過するために、その際の抵抗が操作者に節度感を与えることになる。その一方で、退没時のノック体２４に力を加えない時には、係止突起１４ａが係合体２６の退却路２６ｄを相対的に移動するので、係止突起１４ａが途中で引っかかることなく動作が円滑に行われることとなる。
【００３０】
次に、使用者がレフィール２０を収納し忘れてレフィール２０が前進位置にある状態で、筆記具をポケット等に入れようとして、クリップ２８の本体２８ｃの反基端部を外筒１２から遠ざかる方向に動かすと、図７及び図８に示すように、クリップ２８は、その基端で後筒１４に対して固定された嵌合片２８ａ、２８ａの嵌合孔１４ｂ、１４ｂに嵌合された部位を支点として揺動し、クリップ２８の後筒１４内で延びるカム押し上げプレート部２８ｂの先端は、後筒１４内で内径方向へと動く。従って、カム押し上げプレート部２８ｂは、係合体２６を後筒１４内において同じ方向に押し出すために、係合体２６の係止受け突部２６ｂと後筒１４の係止突起１４ａとの間の係止が解除される。よって、係合体２６及びレフィール２０は、自動的にバネ２２の付勢力で後方へ移動し退没位置に戻る。従って、インキでポケットを汚したり、ポケットを損傷させたりすることを防止することができる。クリップ２８の揺動運動の際に支点となる嵌合片２８ａからの力点である本体２８ｃの反基端部までの長さの方が、支点から作用点となるカム押し上げプレート部２８ｂまでの長さよりも大きいために、小さい操作力で、係合体２６を押し上げることができる。
【００３１】
以上のようにこの実施形態によれば、クリップ２８の本体２８ｃの反基端部には、何ら係止するための機構は設けられていないために、クリップ２８の本体２８ｃの造形の自由度が高く、よって、クリップ２８を揺動動作に適した形状とすることができ、クリップ２８による挟み付けを容易に行うことができるようになっている。
【００３２】
（第２実施形態）
次に、図９ないし図１２は、本発明の第２の実施形態を表す図である。図において、第１実施形態と同様の部品は、同一の符号を付し、その詳細説明を省略する。第１実施形態では、後筒１４の内周面に係止突起１４ａが形成されていたのに対して、この実施形態では、クリップ３２に係止突起３２ｄが形成されている点で、第１実施形態と異なっている。即ち、クリップ３２の基端には、後筒１４内に形成された溝にそれぞれ嵌合される一対の嵌合片３２ａが形成されると共に、嵌合片３２ａとは別に、後筒１４の内部を延びるカム押し上げプレート部３２ｂが形成されている。カム押し上げプレート部３２ｂには、その先端部付近に、係止突起３２ｄが形成されており、また、係止突起３２ｄよりも先端側が、押し上げ部となる。そして、この係止突起３２ｄが、係合体２６のカム溝２６ａの中を移動可能に収容される。図１０に示したように、クリップ３２の基端に揺動ピン３２ｅを設けて、外筒１２に対してクリップ３２の揺動動作を確実ならしめるようにすることもしてもよい。
【００３３】
また、カム押し上げプレート部３２ｂと、クリップ３２の基端で周方向で対向する位置から、本体３２ｃが延びており、本体３２ｃは、外筒１２の外側を外筒１２とほぼ平行に延びている。
【００３４】
以上のように構成されるノック筆記具の作用は、第１実施形態とほぼ同様であり、第１実施形態において、後筒１４の係止突起１４ａを、クリップ３２の係止突起３２ｄと読み替えることで、図５に示した動作が行われるため、その詳細説明は省略する。
【００３５】
次に、使用者がレフィール２０を収納し忘れてレフィール２０が前進位置にある状態で、筆記具をポケット等に入れようとして、クリップ３２の本体３２ｃの反基端部を外筒１２から遠ざかる方向に動かすと、クリップ３２は、その嵌合片３２ａの基端を支点として、揺動し、よって、クリップ３２の後筒１４内で延びるカム押し上げプレート部３２ｂの先端は、後筒１４内で内径方向へと動く。このとき、係止突起３２ｄも内径方向へと動くが、係止突起３２ｄよりもカム押し上げプレート部３２ｂの先端の方が、支点よりも遠い位置にあり、その変位量が大きいために、このカム押し上げプレート部３２の先端によって係合体２６は同じ方向へと大きく押し出されて、係合体２６の係止受け突部２６ｂとクリップ３２の係止突起３２ｄとの間の係止が解除される。よって、係合体２６及びレフィール２０は、自動的にバネ２２の付勢力で後方へ移動し退没位置に戻る。従って、インキでポケットを汚したり、ポケットを損傷させたりすることを防止することができる。
【００３６】
このようにこの実施形態によれば、クリップ３２の本体３２ｃの反基端部には、何ら係止するための機構は設けられていないために、クリップ３２の本体３２ｃの造形の自由度が高く、よって、クリップ３２を揺動動作に適した形状とすることができ、クリップ３２による挟み付けを容易に行うことができるようになっている。
【００３７】
（第３実施形態）
次に、図１３ないし図１７は、本発明の第３の実施形態を表す図である。図において、このノック式筆記具４０は、後筒４４、後筒４４の先端が圧入されて一体的に連結される先筒４６及び先筒４６の先端に螺着される先具４８とからなる外筒４２を備えており、外筒４２内には、筆記媒体としてのレフィール５０が軸線方向に移動可能に挿入収納されている。先具４８の内部に形成された段部４８ａとレフィール５０に形成されたバネ受け段部５０ａとの間に弾性体であるバネ５２が介挿されており、バネ５２はレフィール５０を常時、後方へ付勢している。
【００３８】
レフィール５０の後端は係合体５６内に挿入されており、レフィール５０は係合体５６と共に外筒４２内を移動するようになっている。係合体５６の外周面には、クリップ５８の基端部から延びるクリップ下突起５８ｂの先端に形成された係止突起５８ａが移動可能となるカム部５６ａが形成される。カム部５６ａは、その中に係止受け突部５６ｂが形成されており、その係止受け突部５６ｂの前部は、前方に向かうに連れて漸次高さが低くなるよう傾斜した傾斜面５６ｇとなっている。反対に、クリップ５８の係止突起５８ａの後部は、後方に向かうに連れて漸次高さが低くなるように傾斜した傾斜面となっている。
【００３９】
また、図１４に示すように、係合体５６の係止受け突部５６ｂの後端側には、前方へ向かって凹んだ係止受部５６ｃが形成される。さらに、カム部５６ａには、係止受け突部５６ｂの横を通る退却路５６ｄが形成される。
【００４０】
また、係合体５６の周面には、図１５に示したように、前記カム部５６ａと反対側に、後筒４４のリブ４４ａに係合するカム面５６ｅが形成されている。
【００４１】
係合体５６の周面には、さらにカム部５６ａよりも後方にカム受部５６ｆが形成されている。カム受部５６ｆは、それぞれ軸方向に傾斜しその傾斜の向きが反対となった第１カム面５６ｆ１及び第２カム面５６ｆ２と、これらの第１カム面５６ｆ１と第２カム面５６ｆ２の交差点に形成された凹部５６ｆ３とを有している。
【００４２】
係合体５６の後端は、ノック体５４の中に摺動可能に挿入される。ノック体５４は、その後端が外筒４２よりも突出して外方に露出しており、ノック操作を行うためのものとなっている。ノック体５４の前端外周面には、規制カム５４ａが形成されており、規制カム５４ａは、図１７に示したように、軸方向に傾斜しその傾斜の向きが反対となった第１カム面５４ｂと第２カム面５４ｃとを有している。この規制カム５４ａは、ノック体５４のノック操作力をこの規制カム５４ａから係合体５６のカム受部５６ｆを介して係合体５６に伝達すると共に、そのノック操作の軸方向の直線運動を係合体５６の回転運動に変換するべく援助するためのものである。ノック体５４は、後筒４４に対して、相対回転不能となっており、且つ後筒４４から抜け止めが施されている。カム受部５６ｆ、規制カム５４ａ、カム部５６ａ及び係止突起１４ａとでカム機構が構成され、カム受部５６ｆ、規制カム５４ａ及びカム部５６ａが、係止突起５８ａを係止受部５６ｃに係止及び係止解除されるよう案内する案内カムとなる。
【００４３】
ノック体５４と係合体５６との間には、両者を軸方向に離間する方向に付勢するバネ５７が介挿されている。
【００４４】
後筒４４の後端には、クリップ５８の基端が固定される。そして、クリップ５８の基端部に、外筒４２内へと延びるクリップ下突起５８ｂが形成されている。クリップ下突起５８ｂは、後筒４４の周面に形成された横孔４４ｂを挿通して、その先端である係止突起５８ａが前述の係合体５６のカム部５６ａに当接している。クリップ５８の本体５８ｃは、基端から外筒４２の外側を外筒４２とほぼ平行に延びている。
【００４５】
以上のように構成されるノック式筆記具の作用を図１７を参照しながら以下に説明する。ノック体５４と係合体５６のカム動作については、第１実施形態とほぼ同様であり、非使用時、レフィール５０はバネ５２によって後方へ付勢されて、外筒４２内に完全に収納された退没位置にある（図１７（ａ））。このとき、係合体５６のカム部５６ａ内において、前記クリップ５８の係止突起５８ａは、係止受け突部５６ｂよりも前方に位置付けられている。また、この位置で、ノック体５４の規制カム５４ａは、係合体５６のカム受部５６ｆの凹部５６ｆ３に係合している。
【００４６】
次に、レフィール５０を使用するため、使用者がノック体５４を前方に向けてノックすると、ノック体５４の規制カム５４ａが前進する。規制カム５４ａがカム受部５４ｆの凹部５６ｆ３に係合しているため、係合体５６は、ノック体５４と同じ方向にまっすぐに前進する。すると、係合体５６のカム部５６ａが前進して、その係止受け突部５６ｂの傾斜面と係止突起５８ａの傾斜面とが摺接し、係止突起５８ａは、係止受け突部５６ｂを乗り越えて通過することができる（図１７（ｂ））。
【００４７】
次に、使用者がノック体５４への力の付加を緩めると、バネ５２によりレフィール５０及び係合体５６が後方へ移動する。カム溝５６ａは、ノック体５４の規制カム５４ａが凹部５６ｆ３に係合したままで、横方向にそれることなく、軸線方向にまっすぐに退没した後、ノック体５４の規制カム５４ａと凹部５６ｆ３との係合が外れ、係止突起５８ａが、係止受け突部５６ｂの前端面に当接してこれを摺接し、係止受部５６ｃへと到達して、係止受部５６ｃに係合する（図１７（ｃ））。これにより、レフィール５０はその退没移動が禁止され、レフィール５０の先端が外筒４２の先端より突出した前進位置に保持されるので、使用に供されることになる。ノック体５４はバネ５７の付勢力によって後方位置に戻る。
【００４８】
使用が終了し、再び使用者がノック体５４をノックすると、ノック体５４の規制カム５４ａの第１カム面５４ｂが係合体５６のカム受部５６ｆの第１カム面５６ｆ１に当接して、係合体５６を回転させながら前方へ押し出す。これにより、係止突起５８ａは、係止受部５６ｃから離脱する。係合体５６は、ノック体５４の第１カム面５４ｂを摺接して回転するので、係止突起５８ａが係止受け突部５６ｂの在る側と横方向反対側へと相対的に移動する（図１７（ｄ））。そして、使用者がノック体５４への力の付加を止めると、係止突起５８ａは、相対的に係止受け突部５６ｂの傍らの退却路５６ｄを通過して、その初期位置に戻る。この初期位置は、後筒４４のリブ４４ａが係合体５６のカム面５６ｅに沿って相対的に移動した最前位置となる。これによりレフィール５０は退没位置に戻り外筒４２内に収納される（図１７（ｅ））。
【００４９】
こうして、レフィール５０を退没位置に戻すときも、ノック体５４のノックで行うことができ、即ち、前進位置と退没位置との切換をノック体５４のノックだけで行うことができる。また、ノック体５４に力を加える前進時には、クリップ５８の係止突起５８ａが係合体５６の係止受け突部５６ｂの上を相対的に通過するために、その際の抵抗が操作者に節度感を与えることになる。その一方で、退没時のノック体５４に力を加えない時には、係止突起５８ａが係合体５６の退却路５６ｄを相対的に移動するので、係止突起５８ａが途中で引っかかることなく動作が円滑に行われることとなる。
【００５０】
次に、使用者がレフィール５０を収納し忘れてレフィール５０が前進位置にある状態で、筆記具をポケット等に入れようとして、クリップ５８の本体５８ｃの反基端部を外筒４２から遠ざかる方向に動かすと、クリップ５８は、その基端を支点として揺動し、よって、クリップ５８の後筒４４内へと延びるクリップ下突起５８ｂが持ち上がる。従って、係止突起５８ａと係合体５６の係止受け突部５６ｂとの間の係止が解除され、係合体５６及びレフィール５０は、自動的にバネ５２の付勢力で後方へ移動し退没位置に戻る。従って、インキでポケットを汚したり、ポケットを損傷させたりすることを防止することができる。クリップ５８の揺動運動の際に支点となる基端からの力点である本体５８ｃの反基端部までの長さの方が、支点から作用点となるクリップ下突起５８ｂまでの長さよりも大きいために、小さい操作力で、係止突起５８ａを動かすことができる。
【００５１】
以上のようにこの実施形態によれば、クリップ５８の本体５８ｃの反基端部には、何ら係止するための機構は設けられていないために、クリップ５８の本体５８ｃの造形の自由度が高く、よって、クリップ５８を揺動動作に適した形状とすることができ、クリップ５８による挟み付けを容易に行うことができるようになっている。
【００５２】
（第４実施形態）
次に、図１８ないし図２１は、本発明の第４実施形態を表す図である。図において、このノック式筆記具６０は、その先端に先具６８が螺着される外筒６２を備えており、外筒６２内には、筆記媒体としてのレフィール７０が軸線方向に移動可能に挿入収納されている。先具６８の内部に形成された段部６８ａとレフィール７０に形成されたバネ受け段部７０ａとの間に弾性体であるバネ７２が介挿されており、バネ７２はレフィール７０を常時、後方へ付勢している。
【００５３】
レフィール７０の後端は回転カム７６内に挿入されており、レフィール７０は回転カム７６と共にが外筒６２内を移動するようになっている。回転カム７６の周囲には、周方向に離間されて複数の外径方向に突出する係止突起７６ａが形成されている。また、回転カム７６の後端は、ノック体７４の中に摺動可能に挿入される。ノック体７４は、その後端が外筒６２よりも突出して外方に露出しており、ノック操作を行うためのものとなっている。また、その先端には、周方向に離間されて複数の外径方向に突出する突起７４ａが形成されている。
【００５４】
これらの回転カム７６及びノック体７４の前端は、外筒６２に配設されたカム本体７５の中に収納されており、カム本体７５は、図示を省略するが、その内周面に、浅い溝と深い溝が周方向に山を挟んで交互に形成されて、浅い溝と山の前端が連続して鋸状の係止受部となっている。ノック体７４の先端に形成された突起７４ａは、カム本体７５の浅い溝及び深い溝の両方の溝に嵌入しており、回転カム７６は、その係止突起７６ａが、ノック体７４のノック毎に所定角度ずつ回転して、回転位置に応じて浅い溝の前端に係止された状態と、深い溝内へと挿入された状態とを交互に繰り返すことができる。以上の回転カム７６、ノック体７４及びカム本体７５は、公知の回転カム機構であるため、これ以上の説明を省略するが、これらの回転カム７６、ノック体７４及びカム本体７５が係止突起７６ａを係止受部に係止及び係止解除されるよう案内する案内カムとなる。
【００５５】
この実施形態では、カム本体７５の外周面に係止突起７５ａが形成されており、この係止突起７５ａは、外筒６２の周面に形成された縦溝６２ａを通過して、外部に臨んでいる。係止突起７５ａは、縦溝６２ａ内を軸方向に移動することができるようになっている。
【００５６】
外筒６２の後端には、クリップ７８の基端が固定される。そして、クリップ７８は、その基端から外筒６２の外面を外筒６２とほぼ平行に延びる本体７８ｃを有しており、本体７８ｃの反基端部の裏面には、外筒６２の方へ突出し前記係止突起７５ａと係止可能なカム機構係止受部７８ｄが形成されている。
【００５７】
ノック体７４と回転カム７６との間には、両者を軸方向に離間する方向に付勢するバネ７７が介挿されている。
【００５８】
次に、以上のように構成されるノック式筆記具の作用を図１８ないし図２１を参照しながら以下に説明する。
【００５９】
非使用時、レフィール７０はバネ７２によって後方へ付勢されて、外筒６２内に完全に収納された退没位置にある（図１８）。カム本体７５の係止突起７５ａは、縦溝６２ａの最後端部に位置している。また、回転カム７６の係止突起７６ａはカム本体７５の深い溝内にあって、回転カム７６はカム本体７５に対して退没している。
【００６０】
次に、レフィール７０を使用するため、使用者がノック体７４を前方に向けてノックすると、ノック体７４の段部７４ｂがカム本体７５の端面に当接し、カム本体７５を前方へと押し出す（図１９）。すると、カム本体７５の係止突起７５ａがクリップ７８のカム機構係止受部７８ｄに係合する（図２０）。これにより、カム本体７５がクリップ７８及び外筒６２に対して固定となる。この時点では、まだレフィール７０の先端は、外筒６２の先端より突出していない。
【００６１】
さらに、ノック体７４を前方に向けてノックすると、ノック体７４は回転カム７６を前進させて、回転させる。すると、回転カム７６の係止突起７６ａは、カム本体７５の浅い溝の前端に係止されるので、レフィール７０はその退没移動が禁止され、レフィール７０の先端が外筒６２の先端より突出した前進位置に保持されるて、使用に供されることになる（図２１）。ノック体７４はバネ７７の付勢力によって後方位置に戻る。
【００６２】
使用が終了し、再び使用者がノック体７４をノックすると、ノック体７４は回転カム７６を前進且つ回転させる。すると、回転カム７６の係止突起７６ａは、カム本体７５の深い溝内へと嵌入されるので、レフィール７０は退没位置に戻り外筒６２内に収納される。
【００６３】
こうして、レフィール７０を退没位置に戻すときも、ノック体７４のノックで行うことができ、即ち、前進位置と退没位置との切換をノック体７４のノックだけで行うことができる。
【００６４】
次に、使用者が筆記具をポケット等に入れようとして、クリップ７８の本体７８ｃの反基端部を外筒６２から遠ざかる方向に動かすと、クリップ７８は、その基端で外筒６２に対して揺動し、よって、クリップ７８カム機構係止受部７８ｄのカム機構係止受部７８ｄとカム本体７５の係止突起７５ａの係止が解除されて、カム本体７５は図１８に示す状態に戻る。従って、レフィール７０を収納し忘れて、レフィール７０が前進位置にある状態で、クリップ７８を揺動させると、回転カム機構全体がバネ７２の付勢力によって退没するために、自動的にレフィール７０の先端は退没位置に戻る。従って、インキでポケットを汚したり、ポケットを損傷させたりすることを防止することができる。
【００６５】
また、図１８の状態で、誤ってノック体７４をノックしたとしても、カム本体７５が前進位置に保持されてないため、レフィール７０は外筒６２の先端から突出することはない。
尚、以上の実施形態で、クリップの材質については、金属製、合成樹脂製等任意の材料から構成することができる。
【００６６】
【発明の効果】
以上説明したように、本発明によれば、係止部、係止受部及び案内カムがクリップの反基端部とは異なる場所である外筒内に配設されるために、クリップの反基端部は、これらの係止部、係止受部及び案内カムの影響を受けずに自由に設計することができ、造形の自由度を増加させることができる。そのために、クリップの反基端部及びクリップの本体は、クリップの揺動動作の行いやすい形状とすることができる。その一方で、クリップが揺動運動されたときには、筆記媒体が退没するために、筆記媒体が前進位置にあるにも拘わらず、衣服のポケットの縁にクリップを差し込もうとしても、ポケットを汚したり、損傷させることはない。
【図面の簡単な説明】
【図１】本発明に係るノック式筆記具の第１実施形態を表す縦断面図である。
【図２】第１実施形態の係合体とノック体の平面図である。
【図３】第１実施形態の係合体とノック体の側面図である。
【図４】第１実施形態の部分分解斜視図である。
【図５】（ａ）〜（ｅ）は第１実施形態の係合体のカム溝と係止突起との動作（左側）及びカム受部と規制カムの動作（右側）を表す説明図である。
【図６】第１実施形態の筆記媒体が前進位置にある状態を表す縦断面図である。
【図７】第１実施形態のクリップの揺動動作を表す部分縦断面図である。
【図８】第１実施形態のクリップの揺動動作を表す部分側面図である。
【図９】本発明に係るノック式筆記具の第２実施形態を表す縦断面図である。
【図１０】第２実施形態のクリップの斜視図である。
【図１１】第２実施形態の筆記媒体が前進位置にある状態を表す部分縦断面図である。
【図１２】第２実施形態のクリップの揺動動作を表す部分縦断面図である。
【図１３】本発明に係るノック式筆記具の第３実施形態を表す縦断面図である。
【図１４】図１３の１４線方向から見た内部図である。
【図１５】図１３の１５線方向から見た内部図である。
【図１６】第３実施形態の筆記媒体が前進位置にある状態を表す部分縦断面図である。
【図１７】（ａ）〜（ｅ）は第３実施形態の係合体のカム部と係止突起との動作（左側）及びカム受部と規制カムの動作（右側）を表す説明図である。
【図１８】本発明に係るノック式筆記具の第４実施形態を表す縦断面図である。
【図１９】第４実施形態のカム機構が前進する途中の状態を表す縦断面図である。
【図２０】第４実施形態のカム機構が前進した状態を表す縦断面図である。
【図２１】第４実施形態の筆記媒体が前進位置にある状態を表す縦断面図である。
【符号の説明】
１０、４０、６０　ノック式筆記具
１２、４２、６２　外筒
２２、５２、７２　バネ（弾性体）
１４ａ　係止突起（係止部）
２０、５０、７０　レフィール（筆記媒体）
２４、５４、７４　ノック体
２８、３２、５８、７８　クリップ
３２ｄ　係止突起（係止部）
２６ｃ、５６ｃ　係止受部
５８ａ　係止突起
７５ａ　係止突起
７６ａ　係止突起（係止部）
７８ｄ　カム機構係止受部
【図１】
2004130685.tif 000003
【図２】
2004130685.tif 000004
【図３】
2004130685.tif 000005
【図４】
2004130685.tif 000006
【図５】
2004130685.tif 000007
【図６】
2004130685.tif 000008
【図７】
2004130685.tif 000009
【図８】
2004130685.tif 000010
【図９】
2004130685.tif 000011
【図１０】
2004130685.tif 000012
【図１１】
2004130685.tif 000013
【図１２】
2004130685.tif 000014
【図１３】
2004130685.tif 000015
【図１４】
2004130685.tif 000016
【図１５】
2004130685.tif 000017
【図１６】
2004130685.tif 000018
【図１７】
2004130685.tif 000019
【図１８】
2004130685.tif 000020
【図１９】
2004130685.tif 000021
【図２０】
2004130685.tif 000022
【図２１】
2004130685.tif 000023